(57)【要約】      （修正有）【課題】放熱効果の高いＬＥＤ看板の放熱システムを提供する。【解決手段】フレーム１および第１の放熱モジュール３を具え、フレーム１は、放熱部材１０およびＬＥＤモジュール１２を有する。放熱部材１０には、ＬＥＤモジュール１２が突き合わせ接続される。第１の放熱モジュール３は、放熱部材１０およびフレーム１に接続される少なくとも１つのヒートパイプセット３１を具える。ヒートパイプセット３１により、放熱部材１０が吸収した熱がフレーム１上に迅速に伝達されて放熱される。【選択図】図１
0003158860.tif 000002
【実用新案登録請求の範囲】
【請求項１】
少なくとも１つの放熱部材およびＬＥＤモジュールとが相接して接続されてフレーム内に配置され、
上記放熱部材および上記フレームに接続される少なくとも1つのヒートパイプセットにより、上記放熱部材がＬＥＤモジュールから吸収した熱を上記フレームに伝達して放熱を行う少なくとも１つの第１の放熱モジュールを構成することを特徴とするＬＥＤ看板の放熱システム。
【請求項２】
前記フレームは、設置面および表示面を具え、
上記表示面は、前記ＬＥＤモジュールの前記放熱部材に接続される面と反対側の端面と同一平面を形成し、上記設置面と表示面とは、相対して両者間に収容空間が画定され、前記収容空間には、前記フレーム、前記ＬＥＤモジュールおよび前記第１の放熱モジュールが収容されることを特徴とする請求項１記載のＬＥＤ看板の放熱システム。
【請求項３】
前記放熱部材は、銅製放熱部材であり、前記銅製放熱部材は、前記ＬＥＤモジュールが緊密に接触する第１の端面と、前記ヒートパイプセットが接続される第２の端面と、を具えることを特徴とする請求項１記載のＬＥＤ看板の放熱システム。
【請求項４】
前記ヒートパイプセットは、複数のヒートパイプを具え、該ヒートパイプは、蒸発部および凝縮部を有し、該蒸発部は、前記銅製放熱部材の第２の端面に接続され、該凝縮部は、蒸発部から離れる方向に延長されて前記フレームに接続されることを特徴とする請求項３記載のＬＥＤ看板の放熱システム。
【請求項５】
前記フレームは、第１の熱拡散部、第２の熱拡散部、第３の熱拡散部および第4の熱拡散部を具え、前記第１の熱拡散部の両端には、前記第２の熱拡散部および前記第４の熱拡散部の一方の端部が接続され、前記第３の熱拡散部の両端には、前記第２の熱拡散部および前記第４の熱拡散部の他方の端部が接続され、互いに連通する前記収容空間の外周囲が形成されることを特徴とする請求項２記載のＬＥＤ看板の放熱システム。
【請求項６】
前記放熱部材は、複数の放熱フィンをさらに具え、該放熱フィンは、該放熱部材の銅製放熱部材の前記ＬＥＤモジュールが接続される面と反対の端面上に配置され、対応する該銅製放熱部材に貫設された前記蒸発部が受けた熱は、該銅製放熱部材上の放熱フィンおよび該凝縮部に伝達されて放熱されることを特徴とする請求項４記載のＬＥＤ看板の放熱システム。
【請求項７】
前記ヒートパイプセットには、少なくとも１つの第２の放熱モジュールが突き合わせ接続され、該第２の放熱モジュールは、複数の放熱フィンおよびファンを具え、該ファンは、該放熱フィンの一方の側面に対向配置され、前記各ヒートパイプセットの前段は、前記放熱部材に接続され、後段は、前記フレームに接続され、さらに、前記各ヒートパイプセットの任意の一方の端部は、前記フレームを貫通して対応する前記第２の放熱モジュール上の放熱フィンに貫設されることを特徴とする請求項１から６記載のＬＥＤ看板の放熱システム。
【請求項８】
前記ヒートパイプセットには、少なくとも１つの第２の放熱モジュールが突き合わせ接続され、該第２の放熱モジュールは、複数の放熱フィンおよびファンを具え、該ファンは、該放熱フィンの一方の側面に対向配置され、該各ヒートパイプセットの前段は、前記放熱部材に接続され、後段は、前記フレームに接続され、さらに、該各ヒートパイプセットの任意の一方の端部は、前記フレームから離れる方向に延長されて対応する前記第２の放熱モジュール上の放熱フィンに貫設されることを特徴とする請求項１から６記載のＬＥＤ看板の放熱システム。
【考案の詳細な説明】
【技術分野】
【０００１】
本考案は、ＬＥＤ看板に関し、特に、第１の放熱モジュールにより、複数のＬＥＤモジュールから発生する熱をフレーム上に迅速に伝達して放熱を行い、放熱面積を増大し、熱伝達効率を高め、優れた放熱効果を達成することができるＬＥＤ看板の放熱システムに関する。
【背景技術】
【０００２】
競争が激しい現代において、広告は、非常に重要な役割を担っている。例えば、企業イメージ、会社紹介、商品広告などは、すべて、広告を通じて伝えられ、広められる。また、多くの人に注目される広告は、人々に好奇心を与え、記憶に残るため、多くの業者が広告設計を重視しはじめている。
【０００３】
告媒体の中で、特に、ＬＥＤ（Ｌｉｇｈｔ  Ｅｍｉｔｔｉｎｇ  Ｄｉｏｄｅ：発光ダイオード）看板は、極めて高い宣伝効果を達成することができる。また、ＬＥＤ看板は、静止画像の表示から、動態映像の表示まで行うことができるため、変化性および融通性が高く、その機能は、他の広告媒体を遥かに超えている。
【０００４】
しかし、従来のＬＥＤ看板は、広告を長時間表示するとき、ＬＥＤ看板内の複数のＬＥＤモジュールから光が放出されると同時に、熱が発生する。この熱がＬＥＤ看板内に滞留し、適時迅速に放熱されない場合、ＬＥＤ看板上の各部分から光を放出するＬＥＤモジュールの輝度が不均一になる現象が発生する。また、ひどい場合は、ＬＥＤモジュールが故障したり、破損したりするため、ＬＥＤ看板が表示する広告が途切れ、広告の宣伝効果が低減してしまう。
【０００５】
ＬＥＤ看板内の複数のＬＥＤモジュールに広告を長時間表示させるために、ＬＥＤ看板の業者は、メンテナンス人員をＬＥＤ看板が設置されている場所に頻繁に派遣する必要があったため、人員コストが多くかかるという問題があった。また、ＬＥＤモジュールの使用寿命が短いという問題があった。
【０００６】
以上のように、従来のＬＥＤ看板は下記の欠点を有する。
１．放熱効果が不十分である。
２．使用寿命が短い。
３．多くの人員が必要である。
４．輝度が均一でない。
【０００７】
従って、上述の問題および欠点を如何に解決するかは、本考案の考案者および当業者の研究目標であった。
【先行技術文献】
【特許文献】
【０００８】
【特許文献１】特開２００５−３１７４８０号公報
【特許文献２】特開２００６−３０２５８１号公報
【考案の概要】
【考案が解決しようとする課題】
【０００９】
本考案の第１の目的は、第１の放熱モジュールが複数のＬＥＤモジュールから発生する熱をフレーム上に迅速に伝達して放熱することにより、優れた放熱効果を達成することができるＬＥＤ看板の放熱システムを提供することにある。
本考案の第２の目的は、第１の放熱モジュールが受けた熱を突き合わせ接続された第２の放熱モジュール上に迅速に伝達して放熱することにより、極めて優れた放熱効果を達成することができるＬＥＤ看板の放熱システムを提供することにある。
本考案の第３の目的は、放熱面積が大きいＬＥＤ看板の放熱システムを提供することにある。
本考案の第4の目的は、熱伝達効率が高いＬＥＤ看板の放熱システムを提供することにある。
本考案の第５の目的は、使用寿命が長いＬＥＤ看板の放熱システムを提供することにある。
本考案の第６の目的は、ＬＥＤモジュールの輝度を安定させることができるＬＥＤ看板の放熱システムを提供することにある。
【課題を解決するための手段】
【００１０】
上述の課題を解決するために、本考案は、ＬＥＤ（Ｌｉｇｈｔ  Ｅｍｉｔｔｉｎｇ  Ｄｉｏｄｅ）看板の放熱システムを提供するものである。本考案のＬＥＤ看板の放熱システムは、フレームおよび少なくとも１つの第１の放熱モジュールから構成される。フレームは、少なくとも１つの放熱部材およびＬＥＤモジュールを含む。放熱部材は、銅製またはアルミニウム製の放熱部材であり、ＬＥＤモジュールが突き合わせ接続される。第１の放熱モジュールは、放熱部材およびフレームに接続される少なくとも１つのヒートパイプセットを有する。ヒートパイプセットにより、放熱部材が吸収した熱がフレーム上に迅速に伝達されて放熱される。
【考案の効果】
【００１１】
ＬＥＤモジュールから発生する熱は、第１の放熱モジュールにより、フレーム上に迅速に 伝達されて放熱されるため、熱伝達効率を高めることができる上、優れた放熱効果を達成することができる。
【図面の簡単な説明】
【００１２】
【図１】本考案の第１実施形態によるＬＥＤ看板の放熱システムを示す分解斜視図である。
【図２】本考案の第１実施形態によるＬＥＤ看板の放熱システムを示す後方斜視図である。
【図３】本考案の第１実施形態および第３実施形態によるＬＥＤ看板の放熱システムを示す前方斜視図である。
【図４】本考案の第２実施形態によるＬＥＤ看板の放熱システムの第１の態様を示す分解斜視図である。
【図５】本考案の第２実施形態によるＬＥＤ看板の放熱システムの第１の態様を示す後方斜視図である。
【図６】本考案の第２実施形態および第４実施形態によるＬＥＤ看板の放熱システムの第１の態様を示す前方斜視図である。
【図７】本考案の第２実施形態によるＬＥＤ看板の放熱システムの第２の態様を示す分解斜視図である。
【図８】本考案の第２実施形態によるＬＥＤ看板の放熱システムの第２の態様を示す後方斜視図である。
【図９】本考案の第２実施形態および第４実施形態によるＬＥＤ看板の放熱システムの第２の態様を示す前方斜視図である。
【図１０】本考案の第３実施形態によるＬＥＤ看板の放熱システムを示す分解斜視図である。
【図１１】本考案の第３実施形態によるＬＥＤ看板の放熱システムを示す後方斜視図である。
【図１２】本考案の第４実施形態によるＬＥＤ看板の放熱システムの第１の態様を示す分解斜視図である。
【図１３】本考案の第４実施形態によるＬＥＤ看板の放熱システムの第１の態様を示す後方斜視図である。
【図１４】本考案の第４実施形態によるＬＥＤ看板の放熱システムの第２の態様を示す分解斜視図である。
【図１５】本考案の第４実施形態によるＬＥＤ看板の放熱システムの第２の態様を示す後方斜視図である。
【考案を実施するための形態】
【００１３】
本考案の目的、特徴および効果を示す実施形態を図面に沿って詳細に説明する。
【００１４】
（第１実施形態）
図１〜図３を参照する。本考案の第１実施形態によるＬＥＤ看板の放熱システムは、フレーム１および少なくとも１つの第１の放熱モジュール３を具える。フレーム１は、少なくとも１つの放熱部材１０およびＬＥＤ（Ｌｉｇｈｔ  Ｅｍｉｔｔｉｎｇ  Ｄｉｏｄｅ）モジュール１２を具える。放熱部材１０には、ＬＥＤモジュール１２が当接して接続される。また、フレーム１は、設置面１３および表示面１４を具える。表示面１４は、ＬＥＤモジュール１２の放熱部材１０に接続される面と反対側の端面と同一平面である。設置面１３と表示面１４とは、相対して収容空間１５が画定される。収容空間１５には、フレーム１、ＬＥＤモジュール１２および第１の放熱モジュール３が収容される。
【００１５】
前述の放熱部材１０は、金属材料からなる放熱部材から選択される。本考案では、銅製放熱部材１０１が採用され、優れた熱伝導（吸熱）性を有し、熱を迅速に吸収することができる。銅製放熱部材１０１は、第１の端面１０１１および第２の端面１０１２を具える。第１の端面１０１１には、ＬＥＤモジュール１２が緊密に接触する。第２の端面１０１２には、ヒートパイプセット３１が接続される。第２の端面１０１２は、フレーム１の設置面１３と同一平面である。
【００１６】
第１の放熱モジュール３は、放熱部材１０およびフレーム１に接続される少なくとも１つのヒートパイプセット３１により構成される。ヒートパイプセット３１により、放熱部材１０が吸収した熱は、フレーム１に迅速に伝達されて放熱される。ヒートパイプセット３１は、複数のヒートパイプ３１０からなる。ヒートパイプ３１０は、蒸発部３１３および凝縮部３１４を具える。蒸発部３１３は、銅製放熱部材１０１の第２の端面１０１２に接続される。凝縮部３１４は、蒸発部３１３から離れる方向に延長されてフレーム１に接続される。これにより、先ず、銅製放熱部材１０１の第１の端面１０１１がＬＥＤモジュール１２から発生する熱を迅速に吸収して第２の端面１０１２に伝達する。次に、第２の端面１０１２の熱は、ヒートパイプ３１０の蒸発部３１３を通じ、凝縮部３１４に伝達される。最後に、凝縮部３１４が受けた熱は、フレーム１上に迅速に伝達されて放熱される。
【００１７】
図１〜図３を再び参照する。フレーム１は、第１の熱拡散部１６、第２の熱拡散部１７、第３の熱拡散部１８および第4の熱拡散部１９を具える。第１の熱拡散部１６の両端には、第２の熱拡散部１７および第４の熱拡散部１９の一方の端部が接続される。第３の熱拡散部１８の両端には、第２の熱拡散部１７および第４の熱拡散部１９の他方の端部が接続される。これにより、互いに連通する収容空間１５の外周囲が形成される。ヒートパイプ３１０の凝縮部３１４が受けた熱は、フレーム１に伝達され、フレーム１が受けた熱は、第１の熱拡散部１６、第２の熱拡散部１７、第３の熱拡散部１８および第4の熱拡散部１９に伝達されて分散され、放熱される。また、フレーム１の第１の熱拡散部１６、第２の熱拡散部１７、第３の熱拡散部１８および第4の熱拡散部１９の放熱面積は大きいため、ＬＥＤモジュール１２上の熱を迅速に排除することができる。
【００１８】
ＬＥＤ看板が長時間広告を表示するとき、複数のＬＥＤモジュール１２は、光を放出し続けることにより、熱が発生する。このとき、先ず、銅製放熱部材１０１の第１の端面１０１１が対応するＬＥＤモジュール１２から発生する熱を吸収して第２の端面１０１２上に伝達する。次に、ヒートパイプ３１０の蒸発部３１３により、第２の端面１０１２上の熱が吸収され、凝縮部３１４に伝達される。凝縮部３１４が受けた熱は、フレーム１の第１の熱拡散部１６、第２の熱拡散部１７、第３の熱拡散部１８および第4の熱拡散部１９に迅速に伝達されて分散される。第１の熱拡散部１６、第２の熱拡散部１７、第３の熱拡散部１８および第4の熱拡散部１９は、熱を輻射して外部に拡散放熱をする上、外部の空気と熱交換を行う。従って、ＬＥＤモジュール１２が放出する光の輝度を安定させることができる上、熱伝達効率を高め、使用寿命を延長し、放熱面積を増大させることができる。これにより、優れた放熱効果を達成することができる。
【００１９】
（第２実施形態）
図４〜図９を参照する。図４〜図９は、本考案の第２実施形態である。全体の構造および部材間の接続関係は、前述の第１実施形態と略同一である。本実施形態によるＬＥＤ看板の放熱システムは、ヒートパイプセット３１に少なくとも１つの第２の放熱モジュール５が突き合わせ接続される点が第１実施形態と異なる。第２の放熱モジュール５は、複数の放熱フィン５１およびファン５２を具える。ファン５２は、放熱フィン５１の一方の側面に対向配置される。本実施形態において、第２の放熱モジュール５とヒートパイプセット３１との接続態様を２種類示すが、この２種類のみに限定されず、ＬＥＤ看板を設置する環境にあわせ、第２の放熱モジュール５とヒートパイプセット３１との接続態様を変更することができる。
【００２０】
第１の態様は、各ヒートパイプセット３１の前段が各放熱部材１０に接続され、後段がフレーム１に接続される。さらに、各ヒートパイプセット３１の任意の一方の端部がフレーム１を貫通し、対応する第２の放熱モジュール５上の放熱フィン５１に貫設される（図４〜図６を参照）。即ち、前述の各ヒートパイプ３１０の蒸発部３１３（即ち、前述のヒートパイプセット３１の前段の一部分）が対応する放熱部材１０の銅製放熱部材１０１の第２の端面１０１２に接触し、凝縮部３１４（即ち、前述のヒートパイプセット３１の後段の一部分）がフレーム１に接続される。さらに、各ヒートパイプ３１０の任意の一方の端部がフレーム１を貫通し、対応する第２の放熱モジュール５上の放熱フィン５１に貫設される。
【００２１】
第２の態様は、前述のヒートパイプセット３１の各ヒートパイプ３１０の前段が各放熱部材１０に接続され、後段がフレーム１に接続される。さらに、各ヒートパイプ３１０の任意の一方の端部がフレーム１から離れる方向に延長されて相対する第２の放熱モジュール５上の放熱フィン５１に貫設される（図７〜図９を参照）。
【００２２】
図４〜図９を再び参照する。本実施形態の放熱メカニズムを説明する。
【００２３】
ＬＥＤ看板が長時間広告を表示するとき、複数のＬＥＤモジュール１２は、光を放出し続けることにより、熱が発生する。このとき、先ず、銅製放熱部材１０１の第１の端面１０１１が対応するＬＥＤモジュール１２から発生する熱を吸収し、第２の端面１０１２上に伝達する。次に、ヒートパイプ３１０の蒸発部３１３により、第２の端面１０１２上の熱が吸収され、凝縮部３１４に伝達される。凝縮部３１４が受けた熱は、フレーム１の第１の熱拡散部１６、第２の熱拡散部１７、第３の熱拡散部１８、第4の熱拡散部１９および第２の放熱モジュール５に直列接続された放熱フィン５１に迅速に伝達される。第１の熱拡散部１６、第２の熱拡散部１７、第３の熱拡散部１８および第4の熱拡散部１９は、熱を輻射して外部に拡散放熱をする。それと同時に、第２の放熱モジュール５の放熱フィン５１が熱を輻射して外部に排熱する上、ファン５２が放熱フィン５１に対し、強制空冷を行う。ヒートパイプ３１０の凝縮部３１４の主な機能は、熱を第２の放熱モジュール５の放熱フィン５１に伝達して放熱することであり、副次的な目的は、一部の熱を第１の熱拡散部１６、第２の熱拡散部１７、第３の熱拡散部１８および第4の熱拡散部１９に伝達して放熱することである。従って、ＬＥＤモジュール１２が放出する光の輝度を安定させることができる上、熱伝達効率を高め、使用寿命を延長し、放熱面積を増大させることができる。これにより、優れた放熱効果を達成することができる。
【００２４】
（第３実施形態）
図３、図１０および図１１を参照する。図３、図１０および図１１は、本考案の第３実施形態を示す。本考案の第３実施形態によるＬＥＤ看板の放熱システムは、放熱部材１０上に複数の放熱フィン１０２が配置されることにより、迅速な放熱の補助が行われる。また、放熱フィン１０２は、放熱部材１０の銅製放熱部材１０１のＬＥＤモジュール１２が接続される面と反対の端面上に配置される。即ち、複数の放熱フィン１０２は、前述の銅製放熱部材１０１の第２の端面１０１２から設置面１３の方向に延伸して形成される。また、前述のヒートパイプ３１０の蒸発部３１３は、対応する銅製放熱部材１０１に貫設され、蒸発部３１３が受けた熱は、銅製放熱部材１０１上の放熱フィン１０２および前述の凝縮部３１４にそれぞれ伝達されて放熱される。
【００２５】
（第４実施形態）
図６、図９および図１２〜図１５を参照する。図６、図９および図１２〜図１５は、本考案の第４実施形態を示す。全体の構造および部材間の接続関係は、第３実施形態と略同一である。本実施形態によるＬＥＤ看板の放熱システムは、ヒートパイプセット３１に少なくとも１つの第２の放熱モジュール５が突き合わせ接続される点が第３実施形態と異なる。第２の放熱モジュール５は、複数の放熱フィン５１およびファン５２を有する。ファン５２は、放熱フィン５１の一方の側面に対向配置される。本実施形態において、第２の放熱モジュール５とヒートパイプセット３１との接続態様を２種類示すが、この２種類のみに限定されず、ＬＥＤ看板を設置する環境にあわせ、第２の放熱モジュール５とヒートパイプセット３１との接続態様を変更することができる。
【００２６】
第１の態様は、各ヒートパイプセット３１の前段が各放熱部材１０に接続され、後段がフレーム１に接続される。さらに、各ヒートパイプセット３１の任意の一方の端部がフレーム１を貫通し、対応する第２の放熱モジュール５上の放熱フィン５１に貫設される（図６、図１２および図１３を参照）。即ち、前述の各ヒートパイプ３１０の蒸発部３１３（即ち、前述のヒートパイプセット３１の前段の一部分）が対応する放熱部材１０の銅製放熱部材１０１の第２の端面１０１２に接触し、凝縮部３１４（即ち、前述のヒートパイプセット３１の後段の一部分）がフレーム１に接続される。さらに、各ヒートパイプ３１０の任意の一方の端部がフレーム１を貫通し、対応する第２の放熱モジュール５上の放熱フィン５１に貫設される。
【００２７】
第２の態様は、前述のヒートパイプセット３１の各ヒートパイプ３１０の前段が各放熱部材１０に接続され、後段がフレーム１に接続される。さらに、各ヒートパイプ３１０の任意の一方の端部がフレーム１から離れる方向に延伸し、対応する第２の放熱モジュール５上の放熱フィン５１に貫設される（図９、図１４および図１５を参照）。
【００２８】
図６、図９および図１２〜図１５を再び参照する。本実施形態の放熱メカニズムを説明する。
【００２９】
ＬＥＤ看板が長時間広告を表示するとき、複数のＬＥＤモジュール１２は、光を放出し続けることにより、熱が発生する。このとき、先ず、銅製放熱部材１０１の第１の端面１０１１が対応するＬＥＤモジュール１２から発生する熱を吸収し、第２の端面１０１２上およびヒートパイプ３１０の蒸発部３１３に伝達する。次に、第２の端面１０１２が受けた一部の熱は、放熱フィン１０２に伝達され、補助的な放熱がされる。これと同時に、ヒートパイプ３１０の蒸発部３１３により、第１の端面１０１１が吸収した熱の大部分が凝縮部３１４に伝達される。凝縮部３１４が受けた熱は、フレーム１の第１の熱拡散部１６、第２の熱拡散部１７、第３の熱拡散部１８、第4の熱拡散部１９および第２の放熱モジュール５に直列接続された放熱フィン５１に迅速に伝達される。第１の熱拡散部１６、第２の熱拡散部１７、第３の熱拡散部１８および第4の熱拡散部１９は、熱を輻射して外部に拡散放熱をする。これと同時に、第２の放熱モジュール５の放熱フィン５１が熱を輻射して外部に排熱する上、ファン５２が放熱フィン５１に対し、強制放熱を行う。ヒートパイプ３１０の蒸発部３１４の主な目的は、受けた熱の大部分を第２の放熱モジュール５の放熱フィン５１に伝達して放熱することであり、副次的な目的は、一部の熱を第１の熱拡散部１６、第２の熱拡散部１７、第３の熱拡散部１８および第4の熱拡散部１９に伝達して放熱することである。従って、ＬＥＤモジュール１２が放出する光の輝度を安定させることができる上、熱伝達効率を高め、使用寿命を延長し、放熱面積を増大させることができる。これにより、優れた放熱効果を達成することができる。
【００３０】
以上のように、本考案のＬＥＤ看板の放熱システムは、以下の長所を有する。
【００３１】
１．極めて優れた放熱効果を有する。
２．放熱面積が大きい。
３．熱伝達効率が高い。
４．使用寿命が長い。
５．ＬＥＤモジュールが放出する光の輝度を安定させることができる。
【００３２】
以上の詳細な説明は、本考案の実施可能な実施形態を示したものであり、本考案の上述の方法、形状、構造および装置の変更は、すべて本考案の実用新案登録請求の範囲に含まれる。
【符号の説明】
【００３３】
１  フレーム
１０  放熱部材
１０１  銅製放熱部材
１０１１  第１の端面
１０１２  第２の端面
１０２  放熱フィン
１２  ＬＥＤモジュール
１３  設置面
１４  表示面
１５  収容空間
１６  第１の熱拡散部
１７  第２の熱拡散部
１８  第３の熱拡散部
１９  第４の熱拡散部
３  第１の放熱モジュール
３１  ヒートパイプセット
３１０  ヒートパイプ
３１３  蒸発部
３１４  凝縮部
５  第２の放熱モジュール
５１  放熱フィン
５２  ファン
【図１】
0003158860.tif 000003
【図２】
0003158860.tif 000004
【図３】
0003158860.tif 000005
【図４】
0003158860.tif 000006
【図５】
0003158860.tif 000007
【図６】
0003158860.tif 000008
【図７】
0003158860.tif 000009
【図８】
0003158860.tif 000010
【図９】
0003158860.tif 000011
【図１０】
0003158860.tif 000012
【図１１】
0003158860.tif 000013
【図１２】
0003158860.tif 000014
【図１３】
0003158860.tif 000015
【図１４】
0003158860.tif 000016
【図１５】
0003158860.tif 000017
【手続補正書】
【提出日】平成22年2月10日(2010.2.10)
【手続補正１】
【補正対象書類名】実用新案登録請求の範囲
【補正対象項目名】請求項７
【補正方法】変更
【補正の内容】
【請求項７】
前記ヒートパイプセットには、少なくとも１つの第２の放熱モジュールが突き合わせ接続され、該第２の放熱モジュールは、複数の放熱フィンおよびファンを具え、該ファンは、該放熱フィンの一方の側面に対向配置され、前記各ヒートパイプセットの前段は、前記放熱部材に接続され、後段は、前記フレームに接続され、さらに、前記各ヒートパイプセットの任意の一方の端部は、前記フレームを貫通して対応する前記第２の放熱モジュール上の放熱フィンに貫設されることを特徴とする請求項１〜６のいずれか１項に記載のＬＥＤ看板の放熱システム。
【手続補正２】
【補正対象書類名】実用新案登録請求の範囲
【補正対象項目名】請求項８
【補正方法】変更
【補正の内容】
【請求項８】
前記ヒートパイプセットには、少なくとも１つの第２の放熱モジュールが突き合わせ接続され、該第２の放熱モジュールは、複数の放熱フィンおよびファンを具え、該ファンは、該放熱フィンの一方の側面に対向配置され、該各ヒートパイプセットの前段は、前記放熱部材に接続され、後段は、前記フレームに接続され、さらに、該各ヒートパイプセットの任意の一方の端部は、前記フレームから離れる方向に延長されて対応する前記第２の放熱モジュール上の放熱フィンに貫設されることを特徴とする請求項１〜６のいずれか１項に記載のＬＥＤ看板の放熱システム。